(57)【要約】      （修正有）【課題】日常生活において、簡単に着用できる健康履物を長時間使用でき安全に履けるようにすること。【解決手段】爪先立ちを補助する厚みのあるソールを設けることにより脚足バランスができ履くだけで反射帯のツボを押圧し内蔵と筋肉に作用して疲労や弛みを防止、改善に役立ち運動神経が活性化するように設けて構成した。これにより使用者は、履いて立ったり歩いたりするだけで疲れが解消できこりを防止することができる。【選択図】図１
2005296574.tif 000002
【特許請求の範囲】
【請求項１】
底板に形成した平高ソール体は、足裏の甲に架かる体重を前方に分散するよう設けた健康履物である、前記平高ソールは、爪先立ちを補助する厚みのあるソールを設けることにより脚足バランスができる履くだけで反射帯のツボを押圧し内蔵と筋肉に作用して疲労や弛みを防止、改善に役立ち運動神経が活性化するように設けたところが特徴の健康履物。
【請求項２】
平高ソール体を備えた履物において、高さ調節手段として着脱可能な構造を天板の後部分の上面に嵌入部のスロットルインの嵌入孔を備えた嵌合部を設けた着脱装置にした、それぞれの目的に応じた複数の前記ソール体を選択でき一方、固定型のソール体を形成した健康履物は実用性が本位である固定型と機能性重視の取り替型を配置する構成としたものである。
【請求項３】
天板の上面は、は少なくとも地面に対し水平に形成し取り付け、上面の角を面取りし反射帯に当接するソール面に複数のツボの押圧箇所が得られるよう形成した足裏の甲と足裏の前部に当接する湧泉のツボと親指、第２指、第３指の部分にボタンの厚みの凸部を設けた、繰り返し使用のてきる耐久性のある素材を使うことで長時間の使用ができ、前記ソールの上面に文字や文様、ロゴ等を入れ表装不要の素材を使うことができ、使用者の目的に応じた請求項１、２記載の室内外健康履物。
【発明の詳細な説明】
【技術分野】
【０００１】    本発明は、一般家庭で使うことのできる底板に設けたヒール体が足裏に働くツボ刺激に因る足の疲労を解消と防止、姿勢の改善を特別な装置を使わないで日常の運動が簡単にできる健康器具である健康スリッパに関する。
【背景技術】
【０００２】  従来の健康スリッパや健康サンダルには、底板の上部にはなおが４つも付いたものがある。また、突起物の位置を変更できるよう配置しているものもある。【０００３】  以下、図５、により従来の健康履物について説明する。図において、２は凹部分の表面は磁石などがくっつく材質からできている、３の突起物の凸部分を底板の凹部分、２につけられるようにした。
【特許文献１】特開平９−２０５１６  公報
【特許文献２】特開平９−３７８０３
【発明の開示】
【発明が解決しようとする課題】
【０００４】  以上に述べた従来の健康履物では、着用に手間取ったり押圧の突起が鋭角のため刺激が強すぎ長時間の使用が難しいなどの問題があった。【０００５】  本発明は、このような従来の構成が有していた問題を解決しようとするものであり、履て歩くだけで健康増進効果が得られる長時間使用ができる健康履物を目的とする。
【課題を解決するための手段】
【０００６】  そして本発明は上記目的を達成するために天板に形成した平高ソール体は、足裏の甲に架かる体重を爪先と前方に分散するよう設けた健康履物である、前記平高ソールは、爪先立ちを補助するように設け脚足バランス考えたものであり立ち歩くだけて反斜帯のツボと筋肉に作用して疲労や弛みを防止、改善に役立ち運動神経が活性化するよう設けたものである。【０００７】  また、第２の解決手段は、平高ソール体を備えた履物において、高さ調節手段として着脱可能な構造を天板の後部分の上面に嵌入部のスロットインのステップを設けソール体の下面にはスライドの嵌合部を設けた備えとして螺旋目蓋を採用することにより目的に応じた複数の前記ソール体を選択でき一方、固定のソール体を形成した健康履物は実用性が本位である固定型と取り替型を配置する構成としたものである。【０００８】  そして、第３の解決手段は、天板の上面は、は少なくとも地面に対し水平に形成し取り付け、上面の角を面取りし反射帯に当接するソール面に複数のツボの押圧箇所が得られるよう形成した、繰り返し使用のてきる耐久性のある素材を使うことで長時間の使用ができ、前記ソールの上面に文字や文様、ロゴ等を入れ表装不要の素材を使うことができ、使用者の目的に応じた【０００９】  第一の手段による作用は、踵にとうせつするヒール体に厚くすることでだいよう筋等足の筋肉と甲の骨に繋がる脚足全体の重りの負担を爪先に移動分散することで軽減できるものである。【００１０】第二の手段による作用は、取換え型にすることで使用者の状況に応じた厚さをえらぶことで使える健康スリッパができる。【００１１】  そして第三の手段による作用は、ソール体の上面を平面にすることで脱落しにくい安全で安定した履物ができる。
【発明の効果】
【００１２】  上述したように本発明の健康履物は、通常の履物の履き心地を損なわずに長時間の使用ができ、素早く履け、実用性の高い健康履物を提供できる。【００１３】  また、足裏の複数のツボ湧泉と裏内庭に押圧により内蔵に作用して健康の改善と運動神経の向上ができ底板に設けたヒール体が足裏に働くツボ刺激に因る健康効果【００１４】足の疲労を解消と防止、姿勢の改善を特別な装置を使わないで日常の運動が簡単にできる健康器具である。
【発明の実施するための最良の形態】
【００１５】  以下、本発明の実施の形態を図１〜図２に基ずいて説明する。
【００１６】  図においては、１は指先用マットツボの湧水の押圧マット２底板上面３底板下面４面取りしたソール体５は固定型と取換え型にした厚みの異なるソール体を必要に応じて使用できるようにした。
【００１７】  図に表したように表装不要の材質にすることによりコスト面で有利である。
【００１８】高さ調節手段として取換え型は、押し込み型と予備としてスロットル方式を採用した
【００１９】  以上の上記記載の構成としたソール体付きの健康スリッパであり取換え可能な取換えソールと固定ソールを備えた爪先立ちの困難な人乃至爪先立ちが足裏の甲骨を和らげる状態を利用したところに特徴の健康履物である。
【図面の簡単な説明】
【００２０】
【図１】  健康履物を前方上から見た図
【図２】  ソール体の厚さを表した図である。
【図３】  取換え型のソール体の模様
【図４】  効果ゾーンのグラフ図である。
【図５】  従来の健康履物を示した図である。
【図６】  足裏面のイメージを表した図
【符号の説明】
【００２１】  １ソール体
２湧泉ポイント
３押圧指マット
４上底板
５中底板
６裏内庭ポイント
７カバー
【図１】
2005296574.tif 000003
【図２】
2005296574.tif 000004
【図３】
2005296574.tif 000005
【図４】
2005296574.tif 000006
【図６】
2005296574.tif 000007
【図５】
2005296574.tif 000008
【手続補正書】
【提出日】平成16年5月25日(2004.5.25)
【手続補正１】
【補正対象書類名】特許請求の範囲
【補正対象項目名】全文
【補正方法】変更
【補正の内容】
【特許請求の範囲】
【請求項１】
底板に形成した平高ソールは、足裏の甲に掛かる体重を前方に分散するよう設けた健康履物で、前記平高ソールは、爪先立ちを構造上から補助するもので厚みを加減することで押圧効果を調節して和らげたりすることができ履くだけで脚足バランスを矯正し踵にある反射帯のツボに作用して内蔵、筋肉の疲労を解消し運動神経を活性化するように設けたところが特徴の健康履物である。
【請求項２】
平高インソールを備えた履物において、厚みを調節手段として嵌入部と嵌合部を備えた着脱装置を底板の後部に形成した、もう一方の調節手段は固定型のインソール体を形成した一体型である目的に応じた複数の形状の模様を選択することができ、実用性本位でも機能性を重視した取換え型を備えた請求項１記載の健康履物。
【請求項３】
平高インソールの上面は、少なくとも常に地面に対して水平に形成し取り付け必要以上の刺激や食い込みを避けるため角を取り除いた足裏に当接するインソール面にした、押圧の接点を多数設ける様にした、底板の前部には、湧泉と内湧泉のツボが控えているので上面にまた親指と第２指、第３指が掛かりやすくする浅く隆起させた島を設けたまた表装不要の素材を使うことで長時間の使用ができる請求項１記載の健康履物。
【手続補正書】
【提出日】平成16年5月25日(2004.5.25)
【手続補正１】
【補正対象書類名】明細書
【補正対象項目名】全文
【補正方法】変更
【補正の内容】
【発明の詳細な説明】
【技術分野】
【０００１】    本発明は、一般家庭で使うことができる底板に設けたインソール体が足裏に働き径穴つまりツボに押圧刺激が与えることで足やからだの疲労を解消し防止、姿勢の改善を特別な装置を使わずして日常生活の最小限必要な運動が簡単にできる健康スリッパである。
【背景技術】
【０００２】  従来の健康スリッパには、底板の上部に花緒が四つも付いたものがある、底板の後部に移動可能な突起状の圧接体を配置しているものもある。【０００３】  以下、図５により従来の健康履物について説明する。図において、２は凹部分の表面は磁石などくっつく材質からできている、３の突起物の凸部分を底板の凹部分を２に付けられる様にした。
【特許文献１】特開平９−２０５１６  公報
【特許文献２】特開平９−３７８０３
【発明の開示】
【発明が解決しようとする課題】
【０００４】    以上に述べた従来の健康履物では、着用に手間取ったり突起物が鋭いために刺激が強すぎて長時間の使用が難しい問題があった。【０００５】  本発明は、このような従来の構成が有していた問題を解決しようとするものであり、履いて歩くだけで健康増進効果が得られ長時間使用が普通にできる健康履物を目的とする。
【課題を解決するための手段】
【０００６】  そして本発明は上記目的を達成するために底板に形成した平高インソールは、足裏の甲に掛かる体重を前方に分散するよう設けた健康履物で、前記平高インソールは、爪先立ちを構造上から補助するもので厚みを加減することで押圧効果を調節して和らげたりすることができ履くだけで脚足バランスを矯正し足裏後部にある反射帯のツボに作用して内蔵、筋肉の疲労を解消し運動神経を活性化するように設けたものである。【０００７】  また、第二の解決手段は、平高インソールを備えた履物において、厚みを調節手段として嵌入部と嵌合部を備えた着脱装置を底板の後部に形成した、もう一方の調節手段は固定型のインソール体を形成した一体型である目的に応じた複数の形状の模様を選択することができ、実用性本位でも機能性を重視した取換え型を備えたものである。【０００８】  そして、第三の解決手段は、平高インソールの上面は、少なくとも常に地面に対して水平に形成し取り付け必要以上の刺激や食い込みを避けるため角を取り除いた足裏に当接するインソール面にした、押圧の接点を多数設ける様にした、底板の前部には、湧泉と内湧泉のツボが控えているので上面にまた親指と第２指、第３指が掛かりやすくする浅く隆起させた島を設けたまた表装不要の素材を使うことで長時間の使用ができるものである。
【第一の手段による作用】
【０００９】  足裏の後部に当接するインソール体を厚くすることでだいよう筋や関節にある甲の骨に繋がる脚足の重しの負担を前部に移動させて軽減することができる。
【００１０】
【第二の手段による作用】
取り替え型を加えることにより、使用者の状況に則した厚さを選択して使用ができ機能性を高くすることができる。
【発明の効果】
【００１１】  上述したように本発明の健康履物は、通常の履物の履き心地を失わずに長時間の使用が簡単にでき普段に使用可能な実用性の高めた健康スリッパを提供できる。
【００１２】また、足裏の複数のツボの湧泉、裏内庭などの内蔵に直接関係したツボのポイントに押圧作用により健康の改善と運動神経の促進ができるなどの健康効果がある。
【発明の実施するための最良の形態】
【００１３】  以下、本発明の実施の形態を図１〜図５に基ずいて説明する。
【００１４】  図１のａ２，３，６は２ｍｍ前後隆起した湧泉と内庭の島を表した、１はインソール体７はカバーを外した状態を表した、４上底板，５中底板でｂは横から見た実施図である。
【００１５】  図２は、健康スリッパは後方からの水平に見た三種類の２０ｍｍ３０ｍｍ４０ｍｍを例として示した。
【００１６】  図３のｃは、インソール体の模様と形状を表した、ｄは、実施例の透視図又図４のグラフは横軸の厚さと縦軸の効果率を平らなスリッパを０％として推測した。
【００１７】  以上の上記、記載の構成としたインソール体付きの健康スリッパでありインソール体の取り替え型を加わえた固定のインソールの爪先たちを構造的に補助してささえるところに特徴の健康履物である。
【図面の簡単な説明】
【００１８】
【図１】  健康スリッパの斜視図
【図２】  インソール体の厚さ表した実施例
【図３】  インソール体の取り替え用の模様
【図４】  効果率のグラフ
【図５】  従来の健康履物を示した図
【図６】  足裏面の実施例
【符号の説明】
【００１９】１インソール体
２湧泉の隆起ポイント
３裏内庭の隆起ポイント
４上底板
５中底板
６内庭
７カバー